(57)【特許請求の範囲】
【請求項１】
パテを塗布するブレードと、ブレードの後端を挟持するベース部と、ベース部の後端に連設される握持部とからなるパテベラであって、前記ベース部の略中央部分に六角ビットが嵌脱自在な六角対辺のソケットを備えており、前記ソケットのビット取付部分が、握持部を手で握った場合の手の甲側に取り付けられていることを特徴とするソケット付パテベラ。
【発明の詳細な説明】
【技術分野】
【０００１】
本発明は、例えば内装改修工事の際に下地を平滑に調整するなど、パテ塗布作業に使用するパテベラに関するものである。
【背景技術】
【０００２】
従来、内装工事においては壁や天井の下地材として、主に石膏ボードなどが使用されており、これらはビスで固定されている。そして、このような下地を平滑にするためには、下地材の継ぎ目やビスの頭にパテを塗布する必要がある。
【０００３】
しかしながら、ビスの締め込み不足により、下地材よりもビスが突出している場合があり、その際は、別所からドライバ―などの工具を取り出し、それまで持っていたパテベラと工具を持ち替えてビスの締め込みをしなければならなかった。
【０００４】
現在の内装仕上げ工事は、石膏ボードをビスで固定する工法が主流であり、一般的な住宅でも、８０００本から１００００本のビスが石膏ボードの固定に使用されている。そのうち５パーセントのビスが締め込み不足の場合、４００回から５００回は、パテベラと工具を持ち替える動作と、ビスを締め込むために手首を捻る動作を繰り返さなければならない。これは、大きな作業ロスであるとともに、作業者の体、特に手首に大変な負担をかけていることになる。
【０００５】
そこで、下記特許文献のように、グリップ後端にネジ回しを取り付けたパテベラなどが提案されている。
【先行技術文献】
【特許文献】
【０００６】
【特許文献１】特開２００１−１８０１９７号公報
【発明の概要】
【発明が解決しようとする課題】
【０００７】
しかしながら、結局、ネジ回し使用するにはパテベラを持ち替えなければならず、上記問題点は解消されていない。
【０００８】
本発明は、上記課題に鑑みてなされたものであり、パテ塗布の作業中であっても、パテベラを持ち替えることなく、スムーズにビスの締め込み作業を行うことのできるパテベラを提供することを目的としている。
【課題を解決するための手段】
【０００９】
上記課題を解決するため、本発明は、パテを撫で付けるブレードと、ブレードの後端を挟持するベース部と、ベース部の後端に連設された握持部とからなるパテベラであって、前記ベース部の略中央部分に各種ビットが嵌脱自在なソケット部を備えた構成としている。
【００１０】
また、本発明は、前記ソケット部を六角ビットが嵌脱自在な六角対辺のソケットとしている。
【００１１】
また、前記ソケットは、ビット取り付け部分が握持部を手で握った場合に手の甲側になるように取り付けられている構成としている。
【発明の効果】
【００１２】
本発明によれば、パテの塗布作業中に締め込み不足のビスがあったとしても、パテベラからドライバーなどの工具に持ち替えることなくビスの締め込みをすることができ、作業効率を高めることができる。
【００１３】
また、本発明によれば、ビスを締め込むときに従来の手首を捻る動作がなくなり、肘を時計回りに落とすような軽い力で締め込むことが可能となり、作業者の体の負担を軽減することができる。
【図面の簡単な説明】
【００１４】
【図１】図１は、本発明に係るソケット付パテベラを示す平面図である。
【図２】図２は、本発明に係るソケット付パテベラの構成を示す説明図である。
【図３】図２は、本発明に係るソケット付パテベラを示す分解側面図である。
【図４】図３は、ビット嵌着時のソケット付パテベラを示す側面図である。
【発明を実施するための形態】
【００１５】
以下、図面を参照して本発明の実施形態について説明する。図１は本発明に係るソケット付パテベラを示す平面図、図２は本発明に係るソケット付パテベラの構成を示す説明図、図３は本発明に係るソケット付パテベラを示す分解側面図、図４はビット嵌着時のソケット付パテベラを示す側面図である。
【００１６】
本発明に係るパテベラ１０は、図１に示すように、略台形状のブレード１１と、ブレード１１の後端に連設される略Ｔ字状ハンドル１２とから構成される。
【００１７】
ブレード１１は、塗布面にパテを塗布する部分であり、先端が幅広となっている。ブレード１１の素材は、硬質な合成樹脂製としているが、その他の素材、例えばステンレス鋼などの金属製であってもよい。
【００１８】
ハンドル１２は、ブレード１１を挟持するベース部１２ａと、これに続く握持部1２ｂとから構成されており、これらは一体的に加工されている。なお、本実施の形態においては、ハンドル１２は木製とするのが好ましいが、必ずしもこれに限定されず、合成樹脂製やその他の素材であってもよい。
【００１９】
ベース部１２ａの前端には、図３及び４に示すように、スリット１８が長手方向全体にわたって形成されており、該スリット１８にブレード１１の後端が挿入されて、一定の間隔で複数の締結具１６を取り付けることにブレード１１がベース部１２ａに固定される。なお、締結具１６としては、例えばリベットやビス止めなどが使用される。
【００２０】
握持部１２ｂは、パテ塗布を行う際に作業者がパテベラ１０を握る部分であり、板状の形状を有している。なお、図２に示すように、この握持部１２ｂの中心軸Ａは、ブレード１１の中心軸Ｂに対して傾斜して形成されて、作業者の手首に負担とならないような構成となっている。特に図１及び２に示すパテベラ１０は右利き用のものであり、左利き用の場合は、これとは逆側に握持部１２ｂの中心軸が傾斜することになる。
【００２１】
また、握持部１２ｂの後端部には、パテベラ１２をフック等に引っ掛ける際に用いる掛止孔１８が備えられている。
【００２２】
ベース部１２ａの略中央部には金属製のソケット１３が取り付けられる。ソケット１３は、プラスドライバーやマイナスドライバーなどの各種のビットを取り付け可能とするものである。
【００２３】
このソケット１３の取り付け方法としては、ベース部１２ａの略中央部に所定の大きさの貫通孔を設け、この貫通孔にソケット１３を挿嵌して取り付けられる。なお、ソケット１３の外周縁には、複数の凸部１５が形成されていて、この凸部１５により、ビット１４を使用したビスの締め込み作業の際のソケット１３の回動が防止される。
【００２４】
また、ソケット１３は、握持部１２ｂを手で持ったときにビット１４の取り付け部分が手の甲側になるような構成とする。これは、パテベラ１０を持った場合に、手の甲側でビスの締め込み作業をした方が作業者の負担にならないからである。
【００２５】
なお、ソケット１３は、ベース部１２ａに固着されることが望ましいが、ベース部１２ａに対して着脱可能とした構成とすることも考えられる。
【００２６】
なお、ソケット１３及びビット１４としては、六角対辺のソケット及びビットが好ましいが、必ずしもこれに限られるものではない。
【００２７】
また、パテベラ１０において、各構成の材質、形状及び大きさは、パテを塗布する対象物に応じて適宜定めることが可能である。
【００２８】
次に、上記発明の実施の形態に基づく作用について説明する。まず、パテの塗布作業を行う前に、石膏ボードなどの下地材に用いられているビスに対応する工具、例えばプラスドライバーのビットを、ソケット１６にあらかじめ取り付けておく。
【００２９】
そして、利き手で握持部１２ａを握り、ブレード１１を使って、下地材の上にパテを塗布していく。このとき、下地材に用いられているビスであって締め込み不足のビスがあれば、パテベラ１０を握ったまま、ソケット１６に取り付けたビット１４を用いて締め込みを行い、締め込みが終われば、またパテの塗布作業を行っていくことになる。
【００３０】
このように、本発明のパテベラによれば、他の工具に持ち替えることなくビスの締め込み作業をすることができ、また、作業者の負担も軽減することができる。
【００３１】
なお、この発明は、上記発明の実施の形態に限定されるものではなく、本発明の要旨を変更しない限りにおいて適宜変更可能である。
【符号の説明】
【００３２】
１０      パテベラ
１１      ブレード
１２      ハンドル
１２ａ    ベース部
１２ｂ    握持部
１３      ソケット
１４      ビット
１５      凸部
１７      スリット
１８      掛止部
【要約】
【課題】パテ塗布の作業中に、工具を持ち替えることなくビスの締め込みを可能とするパテベラを提供とする。
【解決手段】パテを塗布するブレード１１と、ブレード１１の後端を挟持するベース部１２ａと、ベース部１２ａの後端に連設される握持部１２ｂとからなるパテベラ１０であって、ベース部１２ａの略中央部分に各種ビットを嵌脱可能とするソケット１３を備えた構成とし、ソケット１３は、ビット取り付け部分が握持部を手で握った場合に手の甲側になるように取り付けられている構成とした。
【選択図】図１【図１】
0006853602.tif 000002
【図２】
0006853602.tif 000003
【図３】
0006853602.tif 000004
【図４】
0006853602.tif 000005